(57)【要約】  基地局および移動局間における移動体通信において、基地局の送信電力が大幅に変動しても受信品質に劣化が生じないようにする。  信号の送信電力の変動量に応じて生成されたコードが基地局から移動局へ送信される。移動局では、検出器２５を介して、基地局で生成されたコードを検出するとともに、検出器２５によって検出されたコードに応じて、基地局から送信された信号を増幅または減衰させる受信利得を増幅器制御部２６において変動させ設定し、基地局から送信された信号が、設定された受信利得で増幅器２１によって増幅または減衰される。【特許請求の範囲】
【請求項１】
基地局の送信電力の変動に応じて、移動局が信号の受信利得を変動させる移動体通信システムであって、
前記基地局は、送信電力の変動量に応じたコードを生成するコーディング手段を備え、
前記移動局は、前記コーディング手段によって生成されたコードを検出する検出手段と、前記検出手段によって検出されたコードに応じて、前記基地局から送信された信号を増幅または減衰させる受信利得を変動させて設定する受信利得設定手段と、前記受信利得設定手段によって設定された受信利得で、前記基地局から送信された信号を増幅または減衰させる信号増幅手段とを備えた
ことを特徴とする移動体通信システム。
【請求項２】
前記受信利得設定手段は、前記検出手段によって検出されたコードに応じて、前記信号増幅手段の受信利得としての信号増幅量または信号減衰量を変動させて設定するように構成されていることを特徴とする請求項１に記載の移動体通信システム。
【請求項３】
前記受信利得設定手段は、前記受信利得を緩やかに変化させるための時定数を用いて、前記信号増幅手段において用いられる受信利得を算出するように構成されていることを特徴とする請求項１または請求項２に記載の移動体通信システム。
【請求項４】
前記移動局は、前記基地局から送信された信号をデジタル信号に変換するＡ−Ｄ変換手段を更に備え、
前記受信利得設定手段は、前記基地局から送信された信号が前記Ａ−Ｄ変換手段によってデジタル信号に変換可能な大きさになるように、前記信号増幅手段において用いられる受信利得を設定するように構成されている
ことを特徴とする請求項１から請求項３のうちのいずれか１項に記載の移動体通信システム。
【請求項５】
前記検出手段は、該検出手段によって検出されたコードの確からしさを示す尤度を算出し、
前記受信利得設定手段は、前記検出手段によって算出された前記尤度が予め設定された閾値以上であれば、信号増幅手段の受信利得を変動させて設定するように構成されている
ことを特徴とする請求項１から請求項４のうちのいずれか１項に記載の移動体通信システム。
【請求項６】
ＨＳＤＰＡ方式を用いる移動体通信システムであって、
前記コーディング手段は、ＨＳＤＰＡのチャネライゼーションコードセットのうちＨＳＤＰＡで使用されないビット列を送信電力の変動量に応じたコードに割り当てるように構成されている
ことを特徴とする請求項１から請求項５のうちのいずれか１項に記載の移動体通信システム。
【請求項７】
前記コーディング手段は、送信電力の変動量に応じたコードが生成されると、生成された前記コードを移動局固有のビット列または全移動局共通のビット列でマスクするようにし、
マスクされた前記コードを復号する復号手段が移動局に備えられた
ことを特徴とする請求項１から請求項６のうちのいずれか１項に記載の移動体通信システム。
【請求項８】
基地局の送信電力の変動に応じて、信号の受信利得を変動させる移動体通信端末であって、
送信電力の変動量に応じて前記基地局で生成されたコードを検出する検出手段と、
前記検出手段によって検出されたコードに応じて、前記基地局から送信された信号を増幅または減衰させる受信利得を変動させて設定する受信利得設定手段と、
前記受信利得設定手段によって設定された受信利得で、前記基地局から送信された信号を増幅または減衰させる信号増幅手段とを備えた
ことを特徴とする移動体通信端末。
【請求項９】
前記受信利得設定手段は、前記検出手段によって検出されたコードに応じて、信号増幅手段の受信利得としての信号増幅量または信号減衰量を変動させて設定するように構成されている請求項８に記載の移動体通信端末。
【請求項１０】
前記受信利得設定手段は、前記受信利得を緩やかに変化させるための時定数を用いて、前記信号増幅手段において用いられる受信利得を算出するように構成されていることを特徴とする請求項８または請求項９に記載の移動体通信端末。
【請求項１１】
前記基地局から送信された信号をデジタル信号に変換するＡ−Ｄ変換手段を更に備え、
前記受信利得設定手段は、前記基地局から送信された信号が前記Ａ−Ｄ変換手段によってデジタル信号に変換可能な大きさになるように、信号増幅手段において用いられる受信利得を設定するように構成されている
ことを特徴とする請求項８から請求項１０のうちのいずれか１項に記載の移動体通信端末。
【請求項１２】
前記検出手段は、該検出手段によって検出されたコードの確からしさを示す尤度を算出し、
前記受信利得設定手段は、前記検出手段によって算出された前記尤度が予め設定された閾値以上であれば、信号増幅手段の受信利得を変動させて設定するように構成されている
ことを特徴とする請求項８から請求項１１のうちのいずれか１項に記載の移動体通信端末。
【請求項１３】
送信側の送信電力の変動に応じて、受信側が信号の受信利得を変動させる移動体通信方法であって、
送信電力の変動量に応じたコードを生成するコーディングステップと、
前記コーディングステップで生成されたコードを検出する検出ステップと、
前記検出ステップで検出されたコードに応じて、信号を増幅または減衰させる受信利得を変動させて設定する受信利得設定ステップと、
前記受信利得設定ステップで設定された受信利得で、信号を増幅または減衰させる信号増幅ステップと
を含むことを特徴とする移動体通信方法。
【発明の詳細な説明】
【技術分野】
【０００１】
本発明は、ＨＳＤＰＡなどのデジタル通信方式を用いる移動体通信システム、移動体通信端末および移動体通信方法に関する。
【背景技術】
【０００２】
基地局から移動局（端末）に向かう方向には、大量のデータを高速に伝送できることが好ましい。そこで、ＨＳＤＰＡ（High Speed Downlink
Packet Access：高速下りパケット伝送）と呼ばれる技術が使われることが検討されている。ＨＳＤＰＡは、３ＧＰＰ（３rd Generation
Partnership Project（登録商標））によって標準化されている。【０００３】
ＨＳＤＰＡでは、データを受信する端末の数や伝送レートによって、基地局全体のＨＳ−ＰＤＳＣＨ（High Speed Physical Downlink
Shared Channel）のコード数が変動することがある。【０００４】
また、ある１コードに着目した場合、２ｍｓのサブフレーム単位で、データを受信する端末が変わる可能性がある。さらに、基地局全体で使用されるＨＳ−ＰＤＳＣＨのコード数は、データを受信する端末の数や、データを受信する端末が必要とする伝送レートに応じて変動する。【０００５】
そのため、あるサブフレームでは、一部のＨＳ−ＰＤＳＣＨのコードが送信されずに、ＤＴＸ（Discontinuous Transmission：不連続送信）となり、その次のサブフレームでは、最大コード数である１５コードのＨＳ−ＰＤＳＣＨが送信されるという可能性がある。【０００６】
そのような場合には、送信側である基地局の送信電力が大幅に変動し、受信側である端末のＡ−Ｄ変換器でビットあふれやクリッピング等が発生し、データの受信品質が劣化する可能性がある。【０００７】
なお、移動局が、受信した信号の品質に応じて、送信電力を上げるまたは下げる指示を基地局に送信するシステムが提案されている（例えば、特許文献１参照。）。【０００８】
また、送信電力の大きさに応じて、受信電力の増幅率を変化させるシステムが提案されている（例えば、特許文献２参照。）。【０００９】
【特許文献１】特開２００３−２３４６９６号公報（段落００２０〜００３４および図１）
【特許文献２】特開２００４−２６０４８９号公報（段落００１９〜００３０および図１）
【発明の開示】
【発明が解決しようとする課題】
【００１０】
しかし、特許文献１に記載されているシステムでは、基地局は、予め移動局に応じた送信電力で信号を送信することができない。従って、移動局において、Ａ−Ｄ変換器等に入力定格等に応じた大きさの信号を入力することができず、受信品質が劣化するおそれがある。【００１１】
また、特許文献２に記載されているシステムは、受信信号の品質に応じて、受信電力の増幅率を変化させることができない。【００１２】
そこで、本発明は、基地局の送信電力が大幅に変動しても受信品質の劣化を防ぐことができる移動体通信システム、移動体通信方法および移動体通信端末を提供することを目的とする。
【課題を解決するための手段】
【００１３】
本発明による移動体通信システムは、基地局の送信電力の変動に応じて、移動局が信号の受信利得を変動させる移動体通信システムであって、基地局は、送信電力の変動量に応じたコードを生成するコーディング手段を備え、移動局は、コーディング手段によって生成されたコードを検出する検出手段と、検出手段によって検出されたコードに応じて、基地局から送信された信号を増幅または減衰させる受信利得を変動させて設定する受信利得設定手段と、受信利得設定手段によって設定された受信利得で、基地局から送信された信号を増幅または減衰させる信号増幅手段とを備えることを特徴とする。【００１４】
受信利得設定手段は、検出手段によって検出されたコードに応じて、信号増幅手段の受信利得としての信号増幅量または信号減衰量を変動させて設定するように構成されても良い。【００１５】
受信利得設定手段は、受信利得を緩やかに変化させるための時定数を用いて、信号増幅手段において用いられる受信利得を算出するように構成されても良い。【００１６】
移動局は、基地局から送信された信号をデジタル信号に変換するＡ−Ｄ変換手段を更に備え、受信利得設定手段は、基地局から送信された信号がＡ−Ｄ変換手段によってデジタル信号に変換可能な大きさになるように、信号増幅手段において用いられる受信利得を設定するように構成されても良い。【００１７】
検出手段は、該検出手段によって検出されたコードの確からしさを示す尤度を算出し、
受信利得設定手段は、検出手段によって算出された尤度が予め設定された閾値以上であれば、信号増幅手段の受信利得を変動させて設定するように構成されても良い。【００１８】
ＨＳＤＰＡ方式を用いる移動体通信システムでは、コーディング手段が、ＨＳＤＰＡのチャネライゼーションコードセットのうちＨＳＤＰＡで使用されないビット列を、送信電力の変動量に応じたコードに割り当てることが好ましい。【００１９】
基地局のコーディング手段は、送信電力の変動量に応じたコードが生成されると、生成されたコードを移動局固有のビット列または全移動局共通のビット列でマスクするようにし、マスクされたコードを復号する復号手段を移動局に備えても良い。【００２０】
また、本発明による移動体通信端末は、基地局の送信電力の変動に応じて、信号の受信利得を変動させる移動体通信端末であって、送信電力の変動量に応じて基地局で生成されたコードを検出する検出手段と、検出手段によって検出されたコードに応じて、基地局から送信された信号を増幅または減衰させる受信利得を変動させて設定する受信利得設定手段と、受信利得設定手段によって設定された受信利得で、基地局から送信された信号を増幅または減衰させる信号増幅手段とを備えたことを特徴とする。【００２１】
本発明による移動体通信方法は、送信側の送信電力の変動に応じて、受信側が信号の受信利得を変動させる移動体通信方法であって、送信電力の変動量に応じたコードを生成するコーディングステップと、コーディングステップで生成されたコードを検出する検出ステップと、検出ステップで検出されたコードに応じて、信号を増幅または減衰させる受信利得を変動させて設定する受信利得設定ステップと、受信利得設定ステップで設定された受信利得で、信号を増幅または減衰させる信号増幅ステップとを備えたことを特徴とする。
【発明の効果】
【００２２】
本発明によれば、送信電力の変動を示すコードが基地局から移動局に通知されるので、移動局において受信利得の調整を行い、送信電力の変動の対策を講じ、受信品質の劣化を防ぐことができる。【００２３】
移動局が、基地局から送信された信号をデジタル信号に変換するＡ−Ｄ変換手段を更に備え、受信利得設定手段は、基地局から送信された信号がＡ−Ｄ変換手段によってデジタル信号に変換可能な大きさになるように、信号増幅手段において用いられる受信利得を設定するように構成されている場合には、Ａ−Ｄ変換手段において、ビットあふれやクリッピングが発生することを防ぐことができる。【００２４】
検出手段が、検出したコードの確からしさを示す尤度を算出するように構成されている場合には、尤度に応じて受信利得を変動させて設定することができる。【００２５】
コーディング手段が、移動局固有のビット列または全移動局共通のビット列で生成したコードをマスクし、移動局が、マスクされたコードを復号する復号手段が移動局に備えらるように構成されている場合には、送信電力の変動を、特定の移動局に通知したり全移動局に通知したりすることができる。
【図面の簡単な説明】
【００２６】
【図１】図１は、本発明による移動体通信システムの基地局におけるコーディング部の一構成例を示すブロック図である。
【図２】図２は、本発明による移動体通信端末の一実施例における概略構成を示すブロック図である。
【図３】図３は、検出器がＨＳ−ＳＣＣＨとＨＳ−ＰＤＳＣＨとを検出するタイミングを示す説明図である。
【図４】図４は、ＨＳ−ＳＣＣＨによるチャネライゼーションコードセットと、基地局送信電力変動通知とを示す説明図である。
【図５】図５は、本発明による移動体通信端末の一実施例における動作を説明するフローチャートである。
【符号の説明】
【００２７】
１１  マルチプレクサ
１２  チャネル符号化部
１３  レートマッチング部
１４  ユーザ端末マスキング部
１５  物理チャネルマッピング部
２１  増幅器
２２  Ａ−Ｄ変換器
２３  ＨＳ−ＳＣＣＨ逆拡散器
２４  ＨＳ−ＳＣＣＨデコーダ
２５  検出器
２６  増幅器制御部
２７  ＨＳ−ＰＤＳＣＨ逆拡散器
【発明を実施するための最良の形態】
【００２８】
本発明の幾つかの好ましい実施例について、添付の図面を参照して説明する。
図１は、本発明の移動体通信システムの基地局における、ＨＳ−ＳＣＣＨ（Shared Control Channel for High Speed
Downlink Shared Channel）のコーディングを行うコーディング部（コーディング手段）の一構成例を示すブロック図である。【００２９】
コーディング部は、ＨＳ−ＰＤＳＣＨで使用されるチャネライゼーションコードセット（Channelization Code Set）のビット列であるＸｃｃｓと、対応するＨＳ−ＰＤＳＣＨの変調方式（Modulation
Scheme）を示すビットであるＸｍｓとを混合してＨＳ−ＳＣＣＨを生成するマルチプレクサ１１、ＨＳ−ＳＣＣＨのチャネル符号化を行うチャネル符号化部１２、チャネル符号化されたＨＳ−ＳＣＣＨから所定のビットを間引くレートマッチング部１３、移動体通信端末固有のビット列と、レートマッチング部１３で間引かれたＨＳ−ＳＣＣＨのビット列との排他的論理和を算出するユーザ端末マスキング部１４、および物理チャネルにマッピングを行う物理チャネルマッピング部１５を含む。【００３０】
各Ｘｃｃｓは、以下の式によって導かれる。
Ｘｃｃｓ，１、Ｘｃｃｓ，２、Ｘｃｃｓ，３＝ｍｉｎ（Ｐ−１，１５−Ｐ）・・・（１）  Ｘｃｃｓ，４、Ｘｃｃｓ，５、Ｘｃｃｓ，６、Ｘｃｃｓ，７＝｜Ｏ−１−［Ｐ／８］×１５｜・・・（２）【００３１】
上記の（１）式と（２）式とにおいて、Ｐは、ＨＳ−ＰＤＳＣＨのコード数を示す。また、Ｏは、使用するコードのうち、最初のチャネライゼーションコードの番号を示す。なお、上記の（１）式および（２）式から導かれるチャネライゼーションコードセットのうち、１１１００００、１１１０００１、１１１００１０、１１１００１１、１１１０１００、１１１０１０１、１１１０１１０、および１１１０１１１の８つのコード（ビット列）は使用されない。そこで、この実施の形態では、これらのコードを、基地局送信電力の変動を示すコードとして使用する。【００３２】
すなわち、この実施の形態では、ＨＳ−ＰＤＳＣＨのチャネライゼーションコードセットを移動体通信端末に通知するＸｃｃｓのビット列のうち、通常では使用されないビット列を基地局送信電力の変動を通知するために使用する。【００３３】
具体的には、直前のサブフレームに対する送信電力の変動値をＸとすると、−１６ｄＢ≦Ｘ＜−１２ｄＢの場合には１１１００００、−１２ｄＢ≦Ｘ＜−８ｄＢの場合には１１１０００１、−８ｄＢ≦Ｘ＜−４ｄＢの場合には１１１００１０、−４ｄＢ≦Ｘ＜０ｄＢの場合には１１１００１１、０ｄＢ≦Ｘ＜＋４ｄＢの場合には１１１０１００、＋４ｄＢ≦Ｘ＜＋８ｄＢの場合には１１１０１０１、＋８ｄＢ≦Ｘ＜＋１２ｄＢの場合には１１１０１１０、＋１２ｄＢ≦Ｘ＜＋１６ｄＢの場合には１１１０１１１を基地局送信電力の変動を通知するために使用する。【００３４】
通常、ＨＳ−ＳＣＣＨは、特定の移動体通信端末にのみ送信されるため、移動体通信端末固有のビット列であるＵＥＩＤ（User Equipment
Identification）でマスクされ、特定の移動体通信端末でのみ正常に復号することができるよ
うになっている。そのため、基地局送信電力の変動を特定の移動体通信端末のみに通知する場合には、ＵＥＩＤでＨＳ−ＳＣＣＨをマスクして移動体通信端末に送信する。【００３５】
また、基地局と通信を行うすべての移動体通信端末に基地局送信電力の変動を通知する場合には、すべての移動体通信端末に共通するＩＤ（共通ＩＤ）を予め設定しておく。そして、その共通ＩＤでＨＳ−ＳＣＣＨをマスクして移動体通信端末に送信する。【００３６】
また、Ｘｍｓは、０の場合はＱＰＳＫで変調されていることを示し、１の場合は１６ＱＡＭで変調されていることを示す。【００３７】
チャネル符号化部１２は、ＨＳ−ＳＣＣＨを符号化率１／２で畳み込み符号化し、４８ビットのビット列を生成する。レートマッチング部１３は、チャネル符号化部１２が生成した４８ビットのビット列から、１，２，４，８，４２，４５，４７，４８番目のビットを間引いて、４０ビットのビット列にする。【００３８】
ユーザ端末マスキング部１４は、移動体通信端末（ユーザ端末）固有の１６ビットのビット列に８ビットのテールビットを付加し、符号化率１／２で畳み込み符号化を行って４８ビットのビット列を生成する。そして、ユーザ端末マスキング部１４は、生成した４８ビットのビット列のうち、１，２，４，８，４２，４５，４７，４８番目のビットを間引いて、４０ビットのビット列にする。【００３９】
さらに、ユーザ端末マスキング部１４は、移動体通信端末固有の１６ビットのビット列から導き出した４０ビットのビット列と、レートマッチング部１３が導きだした４０ビットのビット列との排他的論理和を算出する。【００４０】
物理チャネルマッピング部１５は、ユーザ端末マスキング部１４が算出した排他的論理和の４０ビットのビット列を、ＨＳ−ＳＣＣＨのサブフレームの最初のスロットにマッピングする。【００４１】
なお、以上に述べた各部の動作は、コードの基地局送信電力の変動を示すコードとして使用を除き、３ＧＰＰの技術仕様書である「３ＧＰＰ  ＴＳ  ２５．２１２  Ｖ５．１０．０」の４．６．１章、４．６．２章、４．６．３章、４．６．５章、４．６．６章、４．６．７章、および４．６．８章にそれぞれ記載されている動作に基づいている。【００４２】
図２は、本発明による移動体通信端末の一実施例における概略構成を示すブロック図である。【００４３】
本発明による移動体通信端末（移動局）は、アンテナで受信された受信信号のレベルを増幅または減衰して出力する増幅器（信号増幅手段）２１、増幅器２１が出力した受信信号をデジタル信号に変換するＡ−Ｄ変換器（Ａ−Ｄ変換手段）２２、受信信号からＨＳ−ＳＣＣＨを取り出すＨＳ−ＳＣＣＨ逆拡散器２３、ＨＳ−ＳＣＣＨからＸｃｃｓとＸｍｓとのビット列を再生するＨＳ−ＳＣＣＨデコーダ（復号手段）２４、Ｘｃｃｓのビット列が所定のビット列であるか否かを判定する検出器（検出手段）２５、増幅器２１を制御する増幅器制御部（受信利得設定手段）２６、および受信信号からＨＳ−ＰＤＳＣＨを取り出すＨＳ−ＰＤＳＣＨ逆拡散器２７を含む。【００４４】
増幅器２１は、増幅器制御部２６の制御にしたがって、Ａ−Ｄ変換器２２が処理可能な範囲に受信信号のレベルを増幅または減衰させる。【００４５】
ＨＳ−ＳＣＣＨ逆拡散器２３は、スクランブルコード（Scrambling Code）と、ＨＳ−ＳＣＣＨのチャネライゼーションコードとを、デジタル信号に変換された受信信号に乗算して逆拡散を行い、受信信号からＨＳ−ＳＣＣＨを取り出す。【００４６】
ＨＳ−ＳＣＣＨデコーダ２４は、ＨＳ−ＳＣＣＨ逆拡散器２３が取り出したＨＳ−ＳＣＣＨに、図１で示した各部の処理と逆の処理を行い、ＸｃｃｓとＸｍｓとのビット列を再生（復号）し、ＨＳ−ＰＤＳＣＨのチャネライゼーションコードとコード数とを算出する。【００４７】
検出器２５は、ＨＳ−ＳＣＣＨデコーダ２４が再生したＸｃｃｓのビット列が、基地局送信電力の変動を表す１１１００００、１１１０００１、１１１００１０、１１１００１１、１１１０１００、１１１０１０１、１１１０１１０、または１１１０１１１であるか否かを判定する。【００４８】
なお、検出器２５は、ＨＳ−ＳＣＣＨデコーダ２４が再生したＸｃｃｓのビット列の確からしさを示す尤度を算出する。尤度として、例えば、ＨＳ−ＳＣＣＨデコーダ２４が再生したＸｃｃｓのビット列が１００％確かである場合には１が算出され、８０％確かである場合には０．８が算出される。そして、検出器２５は、算出した尤度と、予め設定されている閾値とを比較する。【００４９】
増幅器制御部２６はアンテナが受信した受信信号の電力にもとづいて、増幅器２１の受信利得を算出する。そして、算出した受信利得にもとづいて、増幅器２１に、受信信号のレベルを増幅または減衰させる。また、増幅器制御部２６は、検出器２５が、基地局送信電力の変動を表すビット列を検出した場合、検出結果に応じて増幅器２１の信号増幅量または信号減衰量を一定量に制御する。【００５０】
ＨＳ−ＰＤＳＣＨ逆拡散器２７は、ＨＳ−ＳＣＣＨデコーダ２４が復号したＸｃｃｓのビット列（すなわち、チャネライゼーションコード）と、ＨＳ−ＳＣＣＨデコーダ２４が算出したＨＳ−ＰＤＳＣＨのコード数とにもとづいて逆拡散を行い、受信信号からＨＳ−ＰＤＳＣＨを取り出す。【００５１】
図３は、検出器２５がＨＳ−ＳＣＣＨとＨＳ−ＰＤＳＣＨとを検出するタイミングを示す説明図である。【００５２】
図３に示されるように、ＨＳ−ＰＤＳＣＨは、ＨＳ−ＳＣＣＨよりも２スロット分の時間遅れて基地局から送信される。この実施の形態で使用するＸｃｃｓを含むビット列は、ＨＳ−ＳＣＣＨのサブフレーム中の、最初のスロットにマッピングされている。そのため、移動体通信端末において、ＨＳ−ＳＣＣＨの最初のスロットの受信後、ＨＳ−ＳＣＣＨデコーダ２４が受信信号の復号を行い、検出器２５がＸｃｃｓのビット列が所定のビット列であるか否かの判定を行う。【００５３】
そして、検出器２５がＸｃｃｓのビット列が所定のビット列であると判定すると、増幅器制御部２６は、基地局送信電力の変動が起きるタイミングであるＨＳ−ＰＤＳＣＨのサブフレームの先頭から増幅器２１の制御を行う。【００５４】
図４は、ＨＳ−ＳＣＣＨによるチャネライゼーションコードセットと、基地局送信電力変動通知とを示す説明図である。【００５５】
移動体通信端末は、最大４つのＨＳ−ＳＣＣＨを同時に復号する能力を有している。図４に示される例では、第１のＨＳ−ＳＣＣＨが、基地局送信電力変動通知のＸｃｃｓのビット列を含んでいる。また、第４のＨＳ−ＳＣＣＨが、ＨＳ−ＰＤＳＣＨを復号するために必要となるチャネライゼーションコードセットのＸｃｃｓのビット列を含んでいる。【００５６】
このように、この実施例では、基地局送信電力の変動を通知するために、専用のＨＳ−ＳＣＣＨを用いることを想定している。【００５７】
次に、本発明による移動体通信の動作について、図面を参照して説明する。図５は、本発明の移動体通信端末の一実施例における動作を説明するフローチャートである。【００５８】
アンテナが受信信号を受信すると、増幅器２１は、アンテナが受信した受信信号をＡ−Ｄ変換器２２に出力する。Ａ−Ｄ変換器２２は、受信信号をデジタル信号に変換してＨＳ−ＳＣＣＨ逆拡散器２３に出力する。ＨＳ−ＳＣＣＨ逆拡散器２３には、最大４つのＨＳ−ＳＣＣＨが同時に入力される（ステップＳ１０１）。【００５９】
ＨＳ−ＳＣＣＨ逆拡散器２３は、受信信号からＨＳ−ＳＣＣＨを取り出し、ＨＳ−ＳＣＣＨデコーダ２４に出力する。ＨＳ−ＳＣＣＨデコーダ２４は、ＨＳ−ＳＣＣＨからＸｃｃｓとＸｍｓとのビット列をＵＥＩＤで再生（復号）する（ステップＳ１０２）。【００６０】
ＨＳ−ＳＣＣＨデコーダ２４は、復号したＸｃｃｓのビット列を検出器２５に出力する。検出器２５は、入力されたＸｃｃｓのビット列が、基地局送信電力の変動を表すための、所定のビット列以外のビット列を含むか否かを判定する（ステップＳ１０３）。【００６１】
ＨＳ−ＳＣＣＨデコーダ２４は、検出器２５が、入力されたＸｃｃｓのビット列が、基地局送信電力の変動を表すための、所定のビット列以外のビット列を含むと判定すると、復号したＸｃｃｓのビット列からチャネライゼーションコードとコード数とを算出し（ステップＳ１０４）、ＨＳ−ＰＤＳＣＨ逆拡散器２７に出力する。【００６２】
検出器２５は、ステップＳ１０３で、入力されたＸｃｃｓのビット列が、基地局送信電力の変動を表すための、所定のビット列以外のビット列を含まないと判定したり（ステップＳ１０３のＮＯ）、復号したＸｃｃｓのビット列からチャネライゼーションコードとコード数とを算出したり（ステップＳ１０４）すると、ＨＳ−ＳＣＣＨデコーダ２４が再生したＸｃｃｓのビット列の尤度を算出する。【００６３】
検出器２５が、算出した尤度と予め設定された閾値とを比較し（ステップＳ１０５）、算出した尤度が予め設定された閾値未満であれば、ＨＳ−ＳＣＣＨデコーダ２４は、ＨＳ−ＳＣＣＨからＸｃｃｓとＸｍｓとのビット列を予め設定された共通ＩＤで再生（復号）する（ステップＳ１０６）。【００６４】
ＨＳ−ＳＣＣＨデコーダ２４は、復号したＸｃｃｓのビット列を検出器２５に出力する。検出器２５は、ＨＳ−ＳＣＣＨデコーダ２４が入力したビット列が基地局送信電力の変動を表すための所定のビット列を含むと、そのビット列の尤度を算出し、予め設定された閾値と比較する（ステップＳ１０７）。【００６５】
増幅器制御部２６は、検出器２５がステップＳ１０５およびステップＳ１０７で算出した尤度が予め設定された閾値以上であると判断すると、増幅器２１を制御する（ステップＳ１０８）。【００６６】
尤度と閾値との比較について具体的に説明する。例えば、閾値が０．８で、検出器２５がステップＳ１０５またはステップＳ１０７で算出した尤度が０．９である場合、尤度は閾値以上である。【００６７】
増幅器制御部２６による増幅器２１の制御について具体的に説明する。例えば、再生されたＸｃｃｓのビット列が１１１００００であり、直前のサブフレームに対する送信電力の変動値がＸであるとし、−１６ｄＢ≦Ｘ＜−１２ｄＢである場合、送信電力は直前のサブフレームに対して１４ｄＢ程度小さくなる。そこで、増幅器制御部２６は、増幅器２１の受信利得を１４ｄＢ大きく設定する。【００６８】
また、増幅器制御部２６は、増幅器２１の受信利得を緩やかに変化させるために、時定数を用いて増幅器２１の受信利得を設定してもよい。【００６９】
具体的には、例えば、送信電力の変動をａ（ｎ）、増幅器２１に設定されている受信利得をｂ（ｎ−１）、時定数をｋとして、増幅器２１に設定する受信利得ｂ（ｎ）を、
ｂ（ｎ）＝ｋ×ａ（ｎ）＋（１−ｋ）×ｂ（ｎ−１）
で算出してもよい。なお、時定数ｋを、通常は０．５程度に設定しておき、再生されたＸｃｃｓのビット列が送信電力の変動が急激であることを示していた場合には、０．９程度に設定すると、増幅器２１の受信利得を緩やかに変化させることができる。【００７０】
以上に述べたように、この実施の形態によれば、基地局が、予め送信電力の変動を移動局に通知するため、移動局は受信利得の調整を行って、送信電力の変動の対策を行い、受信品質の劣化を防ぐことができる。【００７１】
具体的には、増幅器制御部２６が増幅器２１の受信利得を調整し、Ａ−Ｄ変換器２２におけるビットあふれやクリッピング等の発生を防ぐことができる。【００７２】
なお、この実施の形態では、基地局の送信電力の変動を示すコードのマスクに、ＵＥＩＤを用いる場合と、共通ＩＤを用いる場合とを例示したが、本発明はこれに限定されるものではなく、いずれか一方のみを用いてもよい。【００７３】
また、この実施の形態では、検出器２５が、尤度を算出して閾値と比較したが、本発明はこれに限定されるものではなく、尤度を算出せず、閾値を用いなくてもよい。すなわち、ＨＳ−ＳＣＣＨデコーダ２４が復号したＸｃｃｓのビット列が基地局送信電力の変動を表すための所定のビット列であれば、検出器２５は、基地局送信電力の変動するものとして動作してもよい。【００７４】
なお、この実施の形態では、基地局送信電力の変動値に４ｄＢ間隔でコードを割り当てたが、本発明はこれに限定されるものではなく、３ｄＢ間隔や５ｄＢ間隔等であってもよい。
【産業上の利用可能性】
【００７５】
本発明は、ＨＳＤＰＡに対応する携帯電話システムの基地局や携帯電話機に対して好適に適用することができる。
【図１】
2007023654.tif 000002
【図２】
2007023654.tif 000003
【図３】
2007023654.tif 000004
【図４】
2007023654.tif 000005
【図５】
2007023654.tif 000006
【国際調査報告】
2007023654.tif 000007
2007023654.tif 000008
2007023654.tif 000009